(57)【要約】【課題】本発明は、パネルのうちスピーカを覆う部分が押されてスピーカが破損することを防止する情報端末装置を提供することを目的とする。【解決手段】本発明の携帯情報端末は、上ケース２内部に設けられた画像表示部１０とスピーカ１１とを覆うパネル８を備え、パネル８は、画像表示部１０を覆う部分が透明である透明パネル６と、スピーカ１１を覆う部分が不透明である不透明パネル７とからなり、画像表示部１０とパネル８との間には密閉空間１３があり、パネル８はスピーカ１１から密閉空間１３に伝達された音によって振動可能に構成されている。【選択図】図１
2010087736.tif 000002
【特許請求の範囲】
【請求項１】
筐体と、この筐体の内部に設けられた画像表示部と、前記筐体の内部に設けられたスピーカと、前記筐体の表面に設けられ、前記画像表示部と前記スピーカとを覆い、前記スピーカとの間に設けられた密閉空間で音響結合するパネルと、前記パネルに設けられた入力手段と、前記筐体の内部に設けられ、前記入力手段への入力操作を認識する認識手段と、前記筐体の内部に設けられ、前記認識手段が前記入力手段への入力操作を認識した場合に前記スピーカを制御する制御手段とを備え、
前記パネルは、前記表示部を覆う部分が透明で、前記スピーカを覆う部分が不透明であることを特徴とする情報端末装置。
【請求項２】
前記制御手段は、最低共振周波数よりも低い周波数の信号で前記スピーカを駆動することを特徴とする請求項１に記載の情報端末装置。
【請求項３】
前記制御手段は、前記スピーカに入力可能な最大値よりも小さい入力信号で前記スピーカを駆動することを特徴とする請求項１に記載の情報端末装置。
【請求項４】
前記制御手段は、正弦波信号で前記スピーカを駆動することを特徴とする請求項１に記載の情報端末装置。
【発明の詳細な説明】
【技術分野】
【０００１】
本発明は、各種情報通信等に使用される携帯電話、ＰＤＡ、ゲーム機等の情報端末装置に関するものである。
【背景技術】
【０００２】
近年、画像が表示される位置と音が放射される位置とを同じにした情報端末装置が実現されている。特に、携帯電話は、小型化、薄型化の要求が高く、画像を表示する表示部と音を出力するスピーカとが近接して配置されている（特許文献１を参照）。また、近年、透明なタッチパネルを設け、タッチパネルが押下されると、押下された部分が振動する携帯電話が実現されている（特許文献２を参照）。また、タッチパネルが押下された場合に、振動装置が密封された空間の空気を振動させて、タッチパネルに振動を与える入力装置が実現されている（特許文献３を参照）。
【特許文献１】特許第３７６３５７０号公報
【特許文献２】特開２００７−１３３６９８号公報
【特許文献３】特開２００５−２７５６３２号公報
【発明の開示】
【発明が解決しようとする課題】
【０００３】
しかし、画像が表示される位置と音が放射される位置とを同じにすることと、透明なパネルをタッチパネルにしてこのタッチパネルが押下された場合に押下された部分に振動を与えることとを両立した情報端末装置を実現しようとすると、スピーカが外部から視認可能になってしまう。スピーカが外部から視認可能になると、ユーザは、パネルのうちスピーカを覆う部分を、ボタンと間違えて押したり、気になって押してしまったりしてしまう。パネルのうちスピーカを覆う部分が押されると、急激な圧力変化によってスピーカが破損してしまう。特に、小型化、薄型化の要求が強い携帯電話では、透明なパネルとスピーカとの間の密閉空間の間隔があまり確保されていないため、破損しやすい。
【０００４】
本発明は、パネルのうちスピーカを覆う部分が押されてスピーカが破損することを防止する情報端末装置を提供することを目的とする。
【課題を解決するための手段】
【０００５】
本発明は、筐体と、この筐体の内部に設けられた表示部と、筐体の内部に設けられたスピーカと、筐体の表面に設けられ、表示部とスピーカとを覆い、スピーカとの間に設けられた密閉空間で音響結合するパネルと、パネルに設けられた入力手段と、筐体の内部に設けられ、入力手段への入力操作を認識する認識手段と、筐体の内部に設けられ、認識手段が入力手段への入力操作を認識した場合にスピーカを制御する制御手段とを備え、パネルは、表示部を覆う部分が透明で、スピーカを覆う部分が不透明であることを特徴とする。
【発明の効果】
【０００６】
本発明によれば、透明パネルのうちスピーカを覆う部分が押されてスピーカが破損することを防止した情報端末装置を提供することができる。
【発明を実施するための最良の形態】
【０００７】
以下、本発明の実施の形態について図面を用いて説明する。
【０００８】
（実施の形態１）
図１は、本発明の実施の形態１に係る情報端末装置である折畳み式携帯電話を開いた状態を示す正面図である。図１において示されるように、折畳み式携帯電話１は、本体ケース５を備える。本体ケース５は、上ケース２と、下ケース３と、上ケース２と下ケース３とを連結する連結部４を備える。上ケース２は、上ケース２の内部から映し出された画像を透過し、音が出力されるパネル８を備える。パネル８は、透明で上ケース２の内部を見ることができる透明パネル６と、不透明で上ケース２の内部を見ることができない不透明パネル７とを備える。下ケース３は各種スイッチ等により構成される操作部９を備える。
【０００９】
図２は、図１において線Ａ−Ａに沿う断面を矢印Ａ’の方向から見たときの断面図である。図２において示されるように、上ケース２には、正面に外部に露出した透明パネル６と不透明パネル７とから構成されたパネル８が接着剤１６を介して結合されている。上ケース２の内部には、画像を表示する画像表示部１０が設けられている。画像表示部１０の上面は、透明パネル６で覆われている。画像表示部１０から映し出される画像は、この透明パネル６を介して、外部に視認可能となっている。また、上ケース２の内部には、不透明で、音を出力するスピーカ１１が設けられている。スピーカ１１の上面は、不透明パネル７で覆われている。スピーカ１１は、この不透明パネル７によって外部から視認できなくなっている。
【００１０】
図２において示されるように、透明パネル６と、不透明パネル７と、画像表示部１０と、スピーカ１１とから密閉空間１３が形成されている。スピーカ１１は、電気信号に応じて振動板を振動させることで音を放射する電気機械音響変換器により構成されている。このスピーカ１１から密閉空間１３へ放出された音により透明パネル６と不透明パネル７からなるパネル８が振動し放音するように構成されている。
【００１１】
透明パネル６と不透明パネル７とからなるパネル８は、薄型化を目的として平面状に形成されている。このパネル８の一部にはデザインとしての模様等が描かれていてもよい。例えば、透明パネル６の表面や裏面に凹凸形状等の模様が描かれていてもよいし、不透明パネル７の表面にロゴ等の模様が描かれていてもよい。
【００１２】
透明パネル６は、さらに、入力手段の機能を有する。すなわち、透明パネル６は、タッチパネルを有する。タッチパネルは、静電式や抵抗式のいずれの方式でもよい。上ケース２の内部には、ユーザがタッチパネルである透明パネル６に入力操作したことを認識する認識手段が設けられている。この認識手段は、電子回路１２に組み込まれている。
【００１３】
上ケース２の内部には画像表示部１０を制御する電子回路１２が設けられている。電子回路１２によって、画像表示部１０には、操作メニューアイコンが表示される。画像表示部１０に表示された操作メニューアイコンは、透明パネル６を介して外部に視認可能となっている。
【００１４】
電子回路１２には、認識手段の認識結果に基づいて、スピーカ１１を制御する制御手段がさらに組み込まれている。これにより、画像表示部１０に表示された操作メニューアイコンに対応する透明パネル６の位置にユーザが押圧すると、認識手段は、ユーザの押圧位置を認識する。そして、制御手段は、認識手段が認識した押圧位置に対応する操作メニューを選択した結果の画面を画像表示部１０に表示させる。さらに、制御手段は、スピーカ１１の出力を変化させる。例えば、制御手段は、ユーザが透明パネル６のどの位置を押圧しても、押圧位置でのパネル８の振動が、一定になるようにスピーカ１１の出力を制御する。これにより、透明パネル６のうち、スピーカ１１から遠い位置でも押圧による振動を与えることができるとともに、スピーカ１１からの距離に関係なく一定の強さの振動を与えることができ、ユーザの違和感を無くすことができる。また、制御手段は、押圧位置によって、パネル８が振動する間隔や周期を変化させるようにスピーカ１１を制御してもよい。これによって、ユーザが透明パネル６に映し出された画像表示部１０の画面を視認しなくても、特定のメニューを選択したことをユーザが認識することができる。また、制御手段は、最低共振周波数（ｆ０）よりも低い周波数の信号でスピーカ１１を駆動することが望ましい。これにより、パネル８が振動する際に、ユーザに音が聞こえないようにするとともに、大きな振幅量と大きな時間間隔を確保して、ユーザの指先に確実に振動を伝えることができる。また、制御手段は、スピーカ１１に入力可能な最大値よりも小さい入力信号でスピーカ１１を駆動することが望ましい。これにより、スピーカ１１の故障を防止することができる。さらに、制御手段は、正弦波信号で前記スピーカを駆動することが望ましい。これにより、ユーザの指先に心地よい振動をスムースに確実に伝えることができる。
【００１５】
また、塗装や印刷等の手段により不透明にされた不透明パネル７がスピーカ１１を覆っているので、本来外観上使用者に見せる必要のないスピーカ１１が外部から隠される。これにより、ユーザが、透明パネルのうちスピーカを覆う部分を、ボタンと間違えて押したり、気になって押してしまったりすることを防止することができる。また、スピーカ１１を覆うパネル８が不透明パネル７であるため、不透明パネル７がユーザに押されなくなり、急激な圧力変化によってスピーカが破損することを防止し、スピーカ１１の品質を維持することができる。
【００１６】
スピーカ１１から放出される音は、透明パネル６や不透明パネル７からなるパネル８を介して、外部に放音される。したがって、使用者は、透明パネル６に画像が表示されるとともに、透明パネル６から放音されるように感じることができる。
【００１７】
（実施の形態２）
以下、実施の形態２を用いて、本発明の他の局面について説明する。
【００１８】
図３は本発明の実施の形態２の情報端末装置１の上ケース２の要部断面図である。
【００１９】
図３において、実施の形態１と異なる部分についてのみ説明すると、上ケース２の内部にスピーカ１１を備え、上ケース２に設けた音孔１４を介して密閉空間１３へ音を伝達しパネル８が振動し放音するように構成されている。
【００２０】
これによりスピーカ１１から出た音と、音孔１４と密閉空間１３を利用し音質を調整することが可能となり、小型化や薄型化された情報端末装置の高音質化を実現することができる。
【００２１】
（実施の形態３）
以下、実施の形態３を用いて、本発明の他の局面について説明する。
【００２２】
図４は本発明の実施の形態３の情報端末装置１の上ケース２の要部断面図である。
【００２３】
図４において、実施の形態１と異なる部分についてのみ説明すると、上ケース２の内部にスピーカ１１を備え、上ケース２に接続された音響管１５を介し密閉空間１３へ音を伝達し透明パネル６が振動し放音するように構成されている。
【００２４】
これによりスピーカ１１を画像表示部１０と水平方向に並べて配置するのではなく、重ねて配置することができ、限られた情報端末装置の中で映像表示部を最大限大型化することができ、低コストで、使用者から見た画像が表示される位置と音が放射される位置とが同じであり、情報端末装置のデザイン自由度向上を実現させることができる。
【００２５】
（実施の形態４）
以下、実施の形態４を用いて、本発明の他の局面について説明する。
【００２６】
図５は本発明の実施の形態４の情報端末装置１の上ケース２の要部断面図である。
【００２７】
図５において、実施の形態１から実施の形態３と異なる部分についてのみ説明すると、パネル８は上ケース２に対して弾性体１７を介して取り付けられ構成されている。
【００２８】
これにより、スピーカ１１から放出される音を放音するパネル８の固有共振周波数を低下させることができ、スピーカ１１の音質を忠実に再現することができ、情報端末装置における高音質化を実現することができる。
【００２９】
（実施の形態５）
以下、実施の形態５を用いて、本発明の他の局面について説明する。
【００３０】
図６は本発明の実施の形態５の情報端末装置１の上ケース２の要部断面図である。
【００３１】
図６において、実施の形態１と異なる部分についてのみ説明すると、パネル８は湾曲形状に形成され構成されている。
【００３２】
これにより全体的に丸みを帯びたデザインに対しても情報端末装置のデザイン性を損なうことなく、小型化や薄型化が可能となり更なるデザイン自由度向上を実現させることができる。
【産業上の利用可能性】
【００３３】
本発明は、透明パネルのうちスピーカを覆う部分が押されてスピーカが破損することを防止する情報端末装置として有用である。
【図面の簡単な説明】
【００３４】
【図１】本発明の実施の形態１における情報端末装置である折畳み式携帯電話を開いた状態を示す正面図
【図２】本発明の実施の形態１の情報端末装置の上ケースの要部断面図
【図３】本発明の実施の形態２の情報端末装置の上ケースの要部断面図
【図４】本発明の実施の形態３の情報端末装置の上ケースの要部断面図
【図５】本発明の実施の形態４の情報端末装置の上ケースの要部断面図
【図６】本発明の実施の形態５の情報端末装置の上ケースの要部断面図
【符号の説明】
【００３５】
１  情報端末装置
２  上ケース
３  下ケース
４  連結部
５  本体ケース
６  透明パネル
７  不透明パネル
８  パネル
９  操作部
１０  画像表示部
１１  スピーカ
１２  電子回路
１３  密閉空間
１４  音孔
１５  音響管
１６  接着剤
１７  弾性体
【図１】
2010087736.tif 000003
【図２】
2010087736.tif 000004
【図３】
2010087736.tif 000005
【図４】
2010087736.tif 000006
【図５】
2010087736.tif 000007
【図６】
2010087736.tif 000008